(57)【要約】      （修正有）【課題】簡単な構成で多様且つ楽しい動きを実現可能な泳動玩具である。【解決手段】この泳動玩具は、内部に液体を収容した液体収容部（１１、１２）と、前記液体より比重が小さく、前記液体収容部内に収容された形象物（２）と、前記液体収容部内で移動可能に収容された磁性体（３１、３２）と、前記形象物と前記磁性体との間に張られた線部材（４１、４２）と、前記磁性体に作用する電磁機構（５１、５２）と、を備えている。【効果】前記磁性体及び前記形象物は、前記電磁機構の通電により、前記形象物の浮力に抗して移動し、前記電磁機構の通電の解除により、前記形象物の浮力に従ってもとの位置に戻る。【選択図】図１
2005287523.tif 000002
【特許請求の範囲】
【請求項１】
内部に液体を収容した液体収容部と、  前記液体収容部内に収容された液体より比重が小さく、前記液体による浮力によって浮遊するように前記液体収容部内部に配置された形象物と、  前記液体収容部内で上下方向に移動可能に収容された磁性体と、  前記形象物と前記磁性体とを結合し前記形象物と前記磁性体との間の引張り力を伝達する線部材と、  通電した際に前記磁性体を磁気的に引き付けるように配置された電磁機構と、を備えた玩具であって、  前記電磁機構が通電された場合に、前記磁性体は、前記電磁機構と前記磁性体との間の磁力によって下方に移動し、前記形象物は、前記磁性体の下方への移動とともに前記形象物に対する浮力に抗して下方に移動し、  前記磁性体及び前記形象物は、前記電磁機構の通電の解除により、前記形象物に対する浮力に従ってもとの位置まで上方に戻る、玩具。
【請求項２】
請求項１において、  前記電磁機構に通電させるための制御装置を備えた、玩具。
【請求項３】
請求項１又は請求項２において、  前記磁性体が複数設けられ、前記形象物の複数の箇所に別々の線部材によってそれぞれ結合されており、前記磁性体は互いに異なるタイミングで移動することができるように構成された、玩具。
【請求項４】
請求項３において、  前記異なる線部材間の間隔は、前記形象物付近よりも前記磁性体付近の方が広い、玩具。
【請求項５】
請求項２において、  前記制御装置は、入力装置が入力を感知した場合に前記電磁機構の通電を開始させる、玩具。
【発明の詳細な説明】
【技術分野】
【０００１】  本発明は、透光性容器内の透明な液体の中で人形、魚の模型その他の形象物を動かし又は踊らせ、その動きを楽しむことができる玩具ないし娯楽観賞用品に関する。
【背景技術】
【０００２】  形象物を液体中で動かすと、地上や空中とは異なり、比較的ゆったりと揺らめくような動きになる。このような玩具は、その揺れ動く動作を見るだけでも玩具として楽しいものである。【０００３】  形象物を液体中で動かす玩具として、例えば日本国実願昭５９−１２４９０９号（実開昭６１−３９５９７号）に記載されたものがある。この玩具では、魚の形をした物が、水で満たされた容器内に浮かべられて収容され、永久磁石を取付けた錘と細い紐で連結されている。この錘は、水で満たされた容器の底で周回可能に設けられている。交番磁力線を発生するコイルが、底より下の容器外側に設けられている。このコイルによって発生した交番磁力によって、魚の形をした物が泳ぐ動作をする。【０００４】  しかし、かかる玩具は、錘を回転させるだけなので表現力に乏しく、玩具としての楽しみが十分に得られるものではなかった。
【発明の開示】
【０００５】  本発明は、簡単な機構で多様且つ楽しい動きを実現可能な玩具を提供することを目的とする。
【０００６】  上記の課題を達成するため、本発明の玩具は、内部に液体を収容した液体収容部と、前記液体より比重が小さく、前記液体収容部内に収容された形象物と、前記液体収容部内に収容され上下方向に移動可能に構成された磁性体と、前記形象物と前記磁性体との間に張られた線部材と、前記磁性体に作用する電磁機構と、を備えている。磁場が形成されていない場合、磁性体は形象物による浮力によって引き上げられている。電磁機構に通電されると、磁性体が下降することにより、形象物がその浮力に抗して下降する。前記形象物と前記磁性体は、前記電磁機構の通電の解除により、前記形象物の浮力に従ってもとの位置に戻る。これにより形象物は上下の動きが可能であり、また浮力に従ってもとの位置に戻るので自然な動きが可能となる。
【０００７】  上記玩具において、前記電磁機構にパルス電流を流す制御装置を備えることが望ましい。パルス電流で形象物の動きを作るので、消費電力を抑え、パルス電流を組み合わせたりパルス幅を変えたりすることでより多様な動きを実現することができる。
【０００８】  上記玩具において、前記形象物の複数の位置に複数の前記線部材および前記磁性体が接続され、前記複数の磁性体は互いに異なるタイミングで移動できるように構成するのが望ましい。これらの磁性体を同時に移動させたり、片方だけあるいは交互に移動させたりすることで、より多様な動きを実現することができる。
【０００９】  上記玩具において、前記線部材間の間隔は、前記形象物付近よりも前記磁性体付近の方が広いことが望ましい。これにより、一方の線部材につながれた磁性体を移動させあるいは両方の磁性体を交互に移動させることで、垂直方向のみならず水平方向に形象物を動かすことができる。
【００１０】  本発明によれば、簡単な機構及び構成で多様且つ楽しい動きを実現可能な玩具を提供することができる。
【発明を実施するための最良の形態】
【００１１】  以下、本発明の実施の形態について図面を参照して説明する。【００１２】  ＜１．玩具の構成＞  図１は、本発明の実施形態による玩具の構成例を示す概念図である。図２は、この玩具の組立ての様子を示す斜視図である。この玩具は、形象物２、磁性体３１、３２、細い線ないし紐部材４１、４２を収容する容器本体１１と、電磁機構であるコイル５１、５２や駆動装置６などを収容するベース部１２と、を備えている。この容器本体１１とベース部１２の上面とで、本発明における液体収容部が構成される。【００１３】  ＜１−１．液体収容部＞  容器本体１１は、一端が閉じられた筒状をなしている。より詳しくは、図示上端がドーム型に閉じられており、図示下端が開放されている。この開放部に、Ｏリング８（図２）を介してベース部１２の上面が水密に固定されている。【００１４】  容器本体１１は、内部の模型２の動きが見えるように透光性のある部分を有し、望ましくは全体が透光性を有している。透光性のある部分は、無色透明あるいは有色透明が望ましい。【００１５】  液体収容部に収容される液体は、無色透明あるいは有色透明であることが望ましく、防腐剤入りの水やエタノールなど、化学的に安定で腐敗しにくいものが望ましい。【００１６】  ＜１−２．形象物＞  形象物２は、図１に示すような人形、可愛いキャラクター、魚やイルカその他の水棲生物、ダイバーなどを模したものでよく、この形象物２が液体収容部に収容されている。形象物２は、液体収容部に収容された液体より比重が小さいものが好ましく、例えば発泡スチロール、又は中空に形成したＡＢＳ（Acrylonitrile Butadiene Styrene）樹脂からなる。中空の空間内に発泡スチロールを充填してもよい。形象物２は液体中に完全に浸かっていてもよいし、より比重の軽い物質（空気など）とともに液体収容部に収容されている場合は、液面に浮かんだ状態としてもよい。【００１７】  形象物２は、尾やひれなどを模した部分を、胴体ないし本体部分に対して揺動可能に設けることができる。このような尾やひれは、特に駆動しなくても、本体部分が液体中で動くことにより、ゆらゆらと揺らめくことができる。【００１８】  ＜１−３．磁性体＞  ベース部１２の上面、つまり液体収容部の下部には、揺動板３３、３４が設けられている。揺動板３３、３４は、いずれも平板状であり、その一端付近でベース部１２の上面に軸支されて上下に揺動可能である。揺動板３３、３４の他端である自由端付近には、磁性体３１、３２が固定され、揺動板３３、３４の揺動に伴って上下動可能となっている。【００１９】  磁性体３１、３２は、平板状のものが望ましく、磁気を持つもの（例：永久磁石）でも、それ自体は磁気を持たないが磁石に引き寄せられるもの（例：鉄などの磁性金属）でもよい。【００２０】  磁性体３１、３２及び揺動板３３、３４は、それ自体は収容された液体より比重が大きいものでも良い。この場合、コイル５１、５２が通電されていないときには、形象物２にかかる浮力により、磁性体３１、３２及び揺動板３３、３４を所定位置まで引張り上げることができるようにする。【００２１】  磁性体３１、３２及び揺動板３３、３４の上には、目隠し板７がベース部１２に対して固定されている。目隠��板７は外部から磁性体３１、３２及び揺動板３３、３４を視覚的に隠すことを目的とするが、糸４１、４２を通すため、隙間又は穴を設けることが望ましい。あるいは、目隠し板７自体を板状の網としてもよい。【００２２】  揺動板３３、３４は上下に揺れることができるが、ベース部１２の上面によって下方への動きが制限され、目隠し板７によって上方への動きが制限されている。揺動板３３、３４の揺動範囲を制限する方法はこれに限らず、揺動板のベース部１２に対する上記軸支部分に、ストッパーを設けても良い。【００２３】  ＜１−４．細い線部材＞  形象物２は、磁性体３１、３２に対し、それぞれ線部材である糸４１、４２で結ばれている。より詳しくは、磁性体３１が固定された揺動板３３の上記他端（自由端）、磁性体３２が固定された揺動板３４の上記他端に、それぞれ接続されている。これら糸４１、４２は、形象物２の互いに異なる位置に接続されている。特に、形象物２に左右ないし前後が定義できる場合（例えば魚を模した場合など）には、形象物２の左右のほぼ対象な位置に糸４１、４２を固定する。【００２４】  糸４１、４２間の間隔は、形象物２付近よりも、磁性体３１、３２付近の方が広くなっている。【００２５】  糸４１、４２は、透明なもの、細いもの等、液体中で目立たないものが望ましいが、特に限定されるものではなく、釣り糸用のテグスなど任意のものを用いることができる。ここでは伸縮性の小さいものを用いるが、伸縮性があってもよい。【００２６】  ＜１−５．コイル＞  ベース部１２の内部、つまり液体収容部の外側に、電磁コイル５１、５２が設けられている。このコイル５１、５２は、液体収容部内の磁性体３１、３２の可動範囲にそれぞれ磁力作用を及ぼすことができるようにする。そのために、コイル５１、５２は、液体収容部の壁面に外側から固定することが望ましい。本実施形態では、ベース部１２の上端に、ベース部の内部から固定される。なお、ベース部１２の上面は、磁力を遮蔽しないように非磁性材で構成する。【００２７】  本実施形態においてコイル５１、５２を液体収容部の外側に設けたのは、液漏れ及び漏電の問題を回避するためであるが、これらの問題がなければ、液体収容部の中に設けても良い。また、本発明ではコイル５１、５２を用いたものに限らず、磁石を例えば上下に動かし液体収容部内の対応する磁性体と引き合い或いは離れるような駆動機構と結びついた磁石、その他の磁気機構であっても良い。【００２８】  コイル５１、５２は、これらコイルに流す電流を制御する制御回路６に接続されている。本実施形態における制御回路６は、コイル５１及び５２に対し、それぞれ任意のタイミングでパルス電流を流すことができる。特に、制御回路６の制御により、コイル５１及び５２に対して別々のタイミングでパルス電流を流すことができ、コイル５１及び５２に対して同時にパルス電流を流すこともできるようにすることが望ましい。コイル５１、５２と制御回路６との間には、両者の間隙を一定距離に保ち電気的磁気的影響を遮断するためのスペーサ６１を配置することが望ましい。スペーサ６１は、例えば硬質ゴムなどの絶縁材料とすることが望ましい。【００２９】  制御回路６は、例えば乾電池６２などの電源に接続されている。【００３０】  本実施形態では磁性体３１、３２、糸４１、４２、コイル５１、５２の数を２組としたが、これに限らず、例えば３組以上でもよい。３組設けた場合、３本目の糸の形象物２への固定箇所は、糸４１及び４２よりも前又は後ろにずれた位置とすることが望ましい。【００３１】  ＜２．玩具の動作＞  次に、玩具の基本動作について説明する。【００３２】  ＜２−１．パルス電流を流さない場合＞  コイル５１及び５２に電流を流さない場合、コイル５１及び５２は、何れも励磁されていないので、磁性体３１、３２に対して作用しない。この場合、浮力で形象物２が上方に押され、磁性体３１、３２及び揺動板３３、３４は、目隠し板７による限界位置まで引張り上げられた状態となる。【００３３】  ＜２−２．同時にパルス電流を流した場合＞  コイル５１及び５２に同時に同じ大きさの電流を流した場合、コイル５１及び５２は、同時に励磁され、磁性体３１及び３２を同時に且つ同じ強さで下方に引き寄せる。これにより、糸４１及び４２を介して引張り力が形象物２に伝達され、形象物２がその浮力に抗して下方に引張られる。【００３４】  ここで、パルス幅（電流が流れた時間の長さ）が十分大きい場合には、磁性体３１、３２及び揺動板３３、３４が、ベース部１２の上面によって規定される下方の限界位置まで、移動することができる。従って、形象物２はその動作範囲の最下点に達する。通電が解除されると、形象物２は浮力により磁性体３１、３２とともに元の位置まで戻る。【００３５】  パルス幅が小さい場合には、磁性体３１、３２及び揺動板３３、３４が下方の限界位置に達しないうちにコイル５１、５２の磁力が衰えるので、形象物２が途中まで引き下げられた後、浮力により磁性体３１、３２とともに元の位置まで戻る。【００３６】  磁性体３１、３２及び揺動板３３、３４が下方の限界位置に達するために必要なパルス幅の大きさは、形象物２及び揺動板３３、３４等の液体内での抵抗や、形象物２等の浮力や、コイル５１、５２の強さなどによって異なる。【００３７】  パルス幅の小さな電流を、連続して複数回流した場合、形象物２は小刻みに上下に往復動する。形象物２に対する糸４１、４２の取り付け位置の前方と後方とで流体に対する垂直方向の抵抗が異なる場合、抵抗の小さい方が大きく上下動する。従って、例えば糸４１、４２の取り付け位置の前方の表面積を小さくするなどして、前方の抵抗を後方より小さくすれば、前方が後方よりも大きく上下動するので、形象物２が体全体を縦に振って頷いているように見える。パルス間隔が短い場合は、形象物２が浮力により元の位置に戻る前に次のパルスが来て、更に下方に移動するので、段階的に下方に動いていくようになる。【００３８】  ＜２−３．異なるタイミングでパルス電流を流した場合＞  コイル５１及び５２の一方のみにパルス電流を流した場合、磁性体の一方のみが下方に引き寄せられる。これにより、形象物２の左右の糸のうち一方のみが引張られ、他方の糸は引張られない。ここで、糸４１、４２間の間隔が下へ行くほど広くなっているので、例えば、右側の糸のみを引張ると、形象物２を下方のみならず右方にも引張る結果となる。従って、形象物２は、右下方向に���く。また、形象物２の左右対称な位置に糸４１、４２が取り付けられているので、例えば右側の糸のみを引張ると、形象物２が右側に傾く結果にもなる。【００３９】  コイル５１及び５２に対し一方ずつ交互に短いパルス電流を流した場合、形象物２は、（１）右下に動く、（２）元の位置に戻る、（３）左下に動く、（４）元の位置に戻る・・・という動作を繰り返す。パルスの間隔を短くすれば、（１）右下に動く、（２）元の位置に戻る途中で左に引張られる、（３）元の位置に戻る途中で右に引張られる・・・という動作を繰り返す。いずれにしても、形象物２は左右に動くような動作になる。従って、形象物２が体全体を左右に振って何かを否定しているような動作をすることができる。【００４０】  更には、コイル５１及び５２の一方に短いパルス電流を複数回連続して流した場合、例えば右側の糸のみを複数回引張った場合には、形象物２は、右方に移動し且つ右側に傾いた状態で、上下動する。パルス間隔が短い場合は、形象物２が浮力により元の位置に戻る前に次のパルスが来て、更に下方に移動するので、右方に移動し且つ右側に傾いた状態で、段階的に下方に動いていくようになる。【００４１】  ＜２−４．上記の動作を組合せた場合＞  上記の動作を組み合わせることで、いろいろなバリエーションに富んだ動作が実現できる。このようなパルス電流の制御は、制御装置６により行うことができる。【００４２】  上述の玩具において、使用者ないし鑑賞者によって操作されるスイッチや、周囲の音や光を感知するセンサ又は他の入力装置を設けても良い。その一例が図３に示されている。図３の玩具は、使用者によって操作できる１対のスイッチ７１、７２を備えている。スイッチの１つが押下されると、制御回路６が動作を開始し、形象物２が所定のダンスパターンに従い、ベース部１２内に取付けられた小さなスピーカ７３からの音楽出力とともにダンスを開始する。もう１つのスイッチは、別の音楽とともに別のダンスパターンを提供するようにしてもよい。【００４３】  図３の玩具は更に、使用者の声を感知できる音センサも備えている。このセンサが声又は所定の音を感知した場合には、制御回路６がパルス電流の発生を開始し形象物２が所定の動作パターンに従ってダンスを開始し、スピーカ７３から音楽又は形象物２の声を模した音を出力する。
【図面の簡単な説明】
【００４４】
【図１】本発明の実施形態による玩具の例を示す概念図である。
【図２】図１の玩具の組立ての様子を示す斜視図である。
【図３】本発明による玩具の変形例を示す概念図である。
【手続補正書】
【提出日】平成17年4月25日(2005.4.25)
【手続補正２】
【補正対象書類名】図面
【補正対象項目名】全図
【補正方法】変更
【補正の内容】
【図１】
2005287523.tif 000003
【図２】
2005287523.tif 000004
【図３】
2005287523.tif 000005
【外国語明細書】
TOY WITH AWAVERRING OR DANCING FIGURE IN A LIQUID CONTAINER 
BACKGROUND OF THE INVENTION1.         Fieldof the Invention
Thepresent invention relates to a toy or an amusing ornament wherein a doll, a model of a fish, oranother figure, is caused to move or dance in a clear liquid inside a transparent container, and whereinthat movement can be enjoyed.
2.    Descriptionof the Related Art
Ifa figure is caused to move inside a liquid, then the movement thereof will be acomparatively leisurely, wavering movement, compared to movement over theground or in the air.  A toy of thiskind is one that can be enjoyed simply by watching the wavering motion.
Atoy wherein a figure is caused to move in a liquid is described, for example,in the JapaneseUtility Model Application No. S59-124909(Utility Model Laid-open No. S61-39597). In this toy, a fish-shaped object is disposed floatingly in a container filledwith water and tied up through a fine string with a weight having a permanent magnet attached thereto. The weight is rotatably set on the bottom ofthe container filled with water.  A coil, which generates alternating lines of magnetic force, is arranged under the bottom on the outer side of the container. Swimming actions are caused tothe fish-shaped object by the alternating magnetic force generated by thecoil.  
However,the expression of this toy is poor,since it merely causes the weight to rotate in a circle, and it does notprovide satisfactory entertainment as a toy. 
SUMMARY OF THE INVENTION
Itis an object of the present invention to provide a toy which is able to createvaried and entertaining movements by means of a simple mechanism. 
Inorder to achieve the aforementioned object, the toy of the present invention comprises:a liquid container section containing a liquid therein; a figure of specificgravity lower than that of the liquid, accommodated inside the liquid containersection; a magnetic body accommodated inside the liquid container section andarranged movably in a vertical direction; a line member extended between thefigure and the magnetic body; and an electromagnetic mechanism that acts on themagnetic body.  Without a magneticfield the magnetic body is pulled up by a buoyant force caused to the figure.Then a descent movement is caused to the figure so as to move against thebuoyancy force of the figure by the descent movement of the magnetic body whenan electric current is applied through the electromagnetic mechanism. Thefigure and the magnetic body are caused to return to their original positionsby the buoyancy force of the figure, by releasing the passage of currentthrough the electromagnetic mechanism. Thereby, the figure can be caused to make upward and downward movement,and since it returns to its original position by means of the buoyancy force, anatural movement is achieved. 
Inthe toy described above, desirably, a control device for passing a pulsecurrent through the electromagnetic mechanism is provided.  Since the movement of the figure iscreated by a pulse current, power consumption is reduced and varied movementcan be achieved by combining pulse currents or changing periods of pulses. 
Inthe toy described above, desirably, plural line members and magnetic bodies maybe connected to a plurality of positions on the figure, and the plural magneticbodies can be arranged so as to move at different timings.  By causing the magnetic bodies to movesimultaneously, or by causing one only to move, or causing each to movealternately, it can provide a more varied movement.
Inthe toy described above, desirably, the interval between the line members isgreater in the vicinity of the figure than in the vicinity of the magneticbodies.  Thereby, it is possible tocause the figure to move in a horizontal direction, rather than simply thevertical direction, by causing the magnetic body connected to one of the line memberto move, or by causing both of the magnetic bodies to move in alternatingfashion. 
Accordingto the present invention, it is possible to provide a toy which is able tocreate varied and entertaining movements by means of a simple mechanism and arrangement. 
BRIEF DESCRIPTION OF THE DRAWINGS
Fig.1 is a conceptual diagram showing an example of a toy according to anembodiment of the present invention; and
Fig.2 is a perspectiveview showing an aspect of the assemblyof the toyshown in Fig.1. 
Fig. 3 is a conceptual diagram depicting anothervariation of a toy according to the present invention.
DESCRIPTION OF THE PREFERRED EMBODIMENTS
Below,an embodiment of the present invention is described with reference to thedrawings. 
(1.Composition of the Toy)
Fig.1 is a conceptual diagram showing an example of the composition of a toyaccording to an embodiment of the present invention.  Fig. 2 is a perspective diagram showing the aspect of the assembly of this toy.  This toy comprises a container main body11 which accommodates a figure object 2, magnetic members 31, 32,and fine line orstring members 41, 42, and comprises a base section 12 which accommodates coils 51, 52forming electromagnetic mechanisms and a drive unit 6, and thelike.  The liquid container sectionaccording to the present invention is constituted by the container main body 11and the upper face of the base section 12. 
(1-1.Liquid container section)
Thecontainer main body 11 has a cylindrical shape, one end of which isclosed.  More specifically, theupper end as illustrated in the diagram is closed in a domed shape, and thelower end as illustrated in the diagram is open.  The upper face of the base section 12 isfixed in a watertight fashion, via an O-ring 8 (Fig. 2) to the open end. 
Thecontainer main body 11 has a transparent section in such a manner that themovement of the figure object 2 contained therein can beseen, and desirably the whole body thereof is transparent.  Desirably, the transparent section hascolourless transparency or coloured transparency. 
Theliquid accommodated in the liquid accommodating section is desirably acolourless transparent liquid or a coloured transparent liquid, and desirably,it should be chemically stable and not liable to decomposition, such as watercontaining a preservative, or ethanol, or the like. 
(1-2.FigureObject) 
Afigure object2 may be a doll or an object of adorable charactersas depicted in Fig. 1 or a body simulatinga fish, or dolphin, or other aquatic creature, or a diver, or the like, isaccommodated inside the liquid container section.  Desirably, the figure object 2 has a lower specific gravity than the liquid containedin the liquid container section, and is made, for example, from foamed styrene or is made of a hollow figureof an ABS (Acrylonitrile Butadiene Styrene) plasticmaterial. The hollow may be filled with foamed styrene.  The figure object 2 may be immersed completely in the liquid, or if itis accommodated inside the liquid container section together with a material oflighter specific gravity (air, or the like,) then it may float on the surfaceof the liquid. 
The figure object2 may be provided with a part simulating a tail, fin, or the like, swingablyon a main part oron a central body.  Even if it is not driven in particular,a tail or fin of this kind can be caused to flutter from side to side, by themovement of the main part through the liquid. 
(1-3.Magnetic member)
Swingingplates 33, 34 are provided on the upper face of the base section 12, in otherwords, atthe bottom of the liquid containersection.  The swinging plates 33, 34are both flat in shape, and are rotatably supportedin the region of one end thereof on the upper face of the base section 12, insuch a manner that they can swing upwards and downwards.  Magnetic members 31, 32 are fixedrespectively to the other ends of the swinging plates 33, 34, in the vicinityof the free ends thereof, in such a manner that they can move upwards anddownwards with the swinging motion of the swinging plates 33, 34. 
Desirably,the magnetic members 31, 32 are flat in shape, and they may be members whichare inherently magnetic (for example, permanent magnets), or they may bemembers which are not inherently magnetic but which are induced to be magnetic(for example, a magnetic metal such as iron, or the like). 
Themagnetic members 31, 32 and the swinging plates 33, 34 may themselves have aspecific gravity that is greater than that of the contained liquid.  In this case, when no current is passedthrough the coils 51, 52, the magnetic members 31, 32 and the swinging plates33, 34 can be pulled and raised to a prescribed position, by the buoyancy forcecaused to the figure object 2. 
Ablind plate 7 is fixed to the base section 12 above themagnetic members 31, 32 and the swinging plates 33, 34.  The purpose of the blind plate 7 is tohide the magnetic members 31, 32 and the swinging plates 33, 34, from externalview, but desirably, it is provided with gaps or holes in order to pass thelinemembers 41, 42.  Alternatively, the blind plate 7 itselfmay be made of a plate-shaped net. 
Althoughthe swinging plates 33, 34 are able to swing upwards and downwards, thedownward movement thereof is restricted by the upper face of the base section12, and the upward movement thereof is restricted by the blind plate 7.  The method for limiting the range ofswing of the swinging plates 33, 34 is not limited to this, and it is alsopossible to provide stoppers on the aforementioned support sections for thebase section 12 of the swinging plates. 
(1-4.Fine linemembers)
Thefigure object2 is linked to the magnetic members 31,32 by means of respective threads 41, 42 forming line members.  More specifically, it is linkedrespectively to the aforementioned other end or the movable end of the swinging plate 33 on which the magnetic member 31 is fixed, andthe aforementioned other end of the swinging plate 34 on which the magneticmember 32 is fixed.  The threads 41,42 are connected to different positions on the figure object 2.  In particular, if it is possible todefine the right-hand side and left-hand side, or the front and back, of thefigure object2 (for example, if the object is simulating a fish, or the like), then the threads41, 42 are fixed to approximately symmetrical positions on the right andleft-hand sides of the figure object 2. 
Theinterval between the threads 41, 42 is greater in the vicinity of the magneticmembers 31, 32 than in the vicinity of the figure object 2. 
Desirably,the threads 41, 42 are made of a material that does not visually stand out in the liquid, such as a transparentmaterial, thin material, or the like, but the material should not be limited in particular, and any material, such asfishing line, or the like, may be used. Here, a material of low expandability is used, but an expandablematerial may also be used. 
(1-5.Coils)
Electromagnetic coils 51, 52 are provided on the inner side of the basesection 12, in other words, on the outer side of the liquid containersection.  These coils 51, 52 areable respectively to exercise a magnetic action in the range of movement of themagnetic members 31, 32 in the liquid container section.  For this purpose, desirably, the coils51, 52 are fixed to the walls of the liquid container section, from the outerside.  In the present embodiment,they are fixed to the upper end of the base section 12, from the inner side ofthe base section.  The upper face ofthe base section 12 is made from a non-magnetic material, in such a manner thatit does not shield the magnetic force. 
Inthe present embodiment, the coils 51, 52 are provided on the outer side of theliquid container section in order to avoid problems of liquid leakage orcurrent leakage, but it is also possible to provide them inside the liquidcontainer section, provided that these problems are prevented.  Moreover, the invention is not limitedto using coils 51, 52, and another magnetic mechanism, such as magnets, with associated movingmechanism which cause the magnets to move for example upwards and downwards so thatthey engage and disengage with the corresponding magnet members in the liquidcontainer, may also be used. 
Thecoils 51, 52 are connected to a control circuit 6 which controls the currentflowing through the coils.  The control circuit 6 according to thepresent embodiment is able to pass a pulse current through the coils 51 and 52,respectively, at any desired timing. In particular, desirably, by means of the control implemented by thecontrol circuit 6, it is possible to pass pulse currents through the coils 51and 52, at separate timings, and it is also possible to pass pulse currentsthrough the coils 51 and 52, simultaneously.  Desirably, a spacer 61 is disposedbetween the control circuit 6 and the coils 51, 52 and, inorder to maintain a uniform distance of separation of the control circuit 6 from the coils, and to shield out electrical and magnetic effects.  Desirably, the spacer 61 is made from aninsulating material, such as hardened rubber, for example. 
Thecontrol circuit 6 is connected to a power supply, such as a dry cell battery62, for example. 
Inthe present embodiment, the number of magnetic members 31, 32, threads 41, 42and coils 51, 52 provided was respectively two each, but the invention is notlimited to this, and for example, three or more of each member may beprovided.  If three of each memberis provided, then the position at which the third thread is fixed to the figureobject 2 is desirably displaced towards the front or therear, with respect to the threads 41 and 42. 
(2.Operation of the toy)
Next,the basic operation of the toy shall be described. 
(2-1.When a pulse current is not supplied)
Ifno current is supplied to the coils 51 and 52, then neither of the coils 51 and52 is magnetized and hence there is no action on the magnetic bodies 31,32.  In this case, the figure object 2 is pushed upwards by the buoyancy force, and themagnetic bodies 31, 32 and the swinging plates 33, 34 are pulled and raised totheir limit position as determined by the blind plate 7. 
(2-2.When pulse currents are supplied simultaneously)
When currents of the same magnitude are supplied simultaneously to the coils51 and 52, then the coils 51 and 52 will be magnetized simultaneously, and themagnetic bodies 31 and 32 will be drawn downwards simultaneously, and with thesame degree of force.  Thereby, apulling force is transmitted to the figure object 2 bymeans of the threads 41 and 42, and hence the figure object 2 isdrawn downwards against the buoyancy force. 
Here,if the pulse width (the length of the time period for which current is passed)is largeenough, then the magnetic bodies31, 32 and the swinging plates 33, 34 will be able to move until they reach thelower limit position, as determined by the upper face of the base section12.  Consequently, the figure object 2 reaches a bottommost point in its range ofmovement.  When the current isreleased, the figure object 2 returns to its originalposition, together with the magnetic bodies 31, 32, due to the buoyancy force. 
Ifthe pulse width is small, then a magnetizing force of thecoils 51, 52 will attenuate before the magnetic bodies 31, 32 and the swingingplates 33, 34 reach their lower limit position, and the figure object 2 will return to its original position, together withthe magnetic bodies 31, 32, due to the buoyancy force, after having been pulleddown to an intermediate position. 
Thesize of the pulse width required in order for the magnetic bodies 31, 32 andthe swinging plates 33, 34 to reach their lower limit position varies dependingon the resistance of the figure object 2 and the swinging plates33, 34, in the liquid, the buoyancy force of the figure object 2, and the strength of the coils 51, 52, and so on. 
Ifa current havinga short pulse width is passedrepeatedly, in a consecutive fashion, then the figure object 2will move reciprocally, up and down, in short and sharp movements.  If the resistance of the figure object 2 in the vertical direction with respect to the liquiddiffers between the region to the front of the installation positions of thethreads 41, 42 on the figure object 2 and the region to the rearof these positions, then the region where the resistance is lower will performgreater upward and downward movement. Consequently, for example, if the resistance on the front side is madelower than that on the rear side, by, for instance, making the surface area tothe front of the installation positions of the threads 41, 42 a smaller area,then the front side will move upwards and downwards to a greater degree thanthe rear side, and hence the whole body of the figure object 2will oscillate in the vertical direction, and the figure object 2 will appear as if it were nodding up and down.  If the interval between pulses is short,then the subsequent pulse will arrive before the figure object 2 has returned to its original position due to thebuoyancy force, and it will move further downwards, thus appearing as if itwere moving downwards in stages. 
(2-3.When pulse currents are supplied at different timings)
Ifa pulse current is supplied to one of the coils 51 and 52 only, then only oneof the magnetic bodies will be drawn downwards.  Accordingly, only one of the left-handand right-hand threads attached to the figure object 2will be pulled, whilst the other one of the threads will not be pulled.  Here, since the interval between thethreads 41, 42 becomes greater as they proceed in the downward direction, thenif, for example, only the right-hand thread is pulled, this will result in thefigure objectbeing pulled not only downwards, butalso towards the right-hand side. Therefore, the figure object 2 moves in a rightward anddownward direction.  Moreover, sincethe threads 41, 42 are installed in symmetrical positions on the right-hand andleft-hand sides of the figure object 2, and then if only theright-hand thread is pulled, for example, this will also result in the figure object 2 being inclined towards the right-hand side. 
When short pulse currents are supplied alternately to each one of the coils51 and 52, then the figure object 2 will repeat a motion of: (1) moving down to the right; (2) returningto its original position; (3)moving down to the left; (4)returning to its original position; and so on.  If theinterval between pulses is made short, then the figure object 2will repeat a motion of: (1) moving down to the right; (2) pulled to left whilst returning to original position; (3) pulled to right whilst returning to original position; and so on.  Ineither of these cases, the figure object 2 willperform a rightward and leftward movement. Therefore, it is possible to cause the figure object 2 toperform a movement wherein the whole body thereof oscillates towards the rightand left, as if it were refusing something. 
Moreover, if a plurality ofshort pulse currents are supplied repeatedly and consecutively to one of thecoils 51 and 52, whereby only the right-hand thread is pulled a plurality oftimes, for example, then the figure object 2 will moveupwards and downwards, in a state where it moves towards the right and isinclined towards the right-hand side. If the interval between pulses is short, then the subsequent pulse willarrive before the figure object 2 has returned to itsoriginal position due to the buoyancy force, and it will move furtherdownwards, thus appearing as it if were moving downwards in stages, in a statewhere it moves towards the right and is inclined towards the right-hand side.
(2-4.When the foregoing operations are combined)
When the operations described above are combined, then it is possible toachieve a rich variety of different movements.  Control of the pulse currents of thiskind can be achieved by means of a control device 6.
On the toy explained herein above switches operable bya user or watcher, sensors detecting surrounding sounds and lights or otherinput devices. One example is shown in Fig. 3. The toy shown in Fig. 3 isprovided with a pair of switches 71 and 72 each operable by a user. When one ofthe switches is pressed, the control circuit 6 is triggered starting operationand the figure object 2 starts dancing in accordance with a preset dancingpattern together with a music output from a small speaker 73 installed insideof the base body 12. Another switch may provide another dancing pattern withanother music.
The toy in Fig. 3 is further provided with a soundsensor which may detect a voice of a user. When the sensor detects a voice or acertain sound, the control circuit 6 starts generating the pulse current andthe figure object 2 starts dancing in accordance with a preset moving patternand outputs music or may be an imitated voice of the figure object 2 from thespeaker 73.     
What Is Claimed Is:           1.         Atoy comprising: a liquid container section containing liquid therein;
afigure object of specific gravity lower than that of said liquid disposed insidesaid liquid container section so as to be suspended by means of the buoyantforce caused by the liquid;
amagnetic body disposed inside said liquid container section so as to move in avertical direction;
aline member tying said figure object with said magnetic body so as to transmitpulling forces between said figure object and said magnetic body; and
anelectromagnetic mechanism disposed so as to engage magnetically with saidmagnetic body when the electromagnetic mechanism is energized; 
wherein when said electromagnetic mechanism is energized saidmagnetic body is caused to move downwardly by means of a magnet force causedbetween said electromagnetic mechanism and the magnet body and said figure objectis caused to move downwardly against the buoyancy force working on said figureobject together with the downward movement of the magnet body, 
wherein the magnet bodyas well as the figure object are caused to return upwardly to their originalpositions by the buoyancy force working on said figure object, by releasingsaid electromagnetic mechanism from the energization.
2.         Thetoy according to claim 1, comprising a control device for energizing theelectromagnetic mechanism.
3.         Thetoy according to claim 1 or claim 2, wherein  a plurality of magnetic bodies are providedand tied to a plurality of positions on said figure body via separate linemembers, respectively, and said magnetic bodies are arranged so as to move atdifferent timings.
4.         Thetoy according to claim 3, wherein the interval between said different line membersis greater in the vicinity of said magnetic bodies than in the vicinity of saidfigure object.
5.         Thetoy according to claim 2, wherein the control device starts energizing the electromagneticmechanism when an input device detects an input.  
ABSTRACT OF THE DISCLOSUREA floating toy is provided which canachieve varied and entertaining movements by means of a simplecomposition.  The floating toycomprises: a liquid container section (11, 12) containing liquid therein; afigure (2) of lower specific gravity than the liquid, accommodated inside theliquid container section; magnetic bodies (31, 32) accommodated movably insidethe liquid container section; line members (41, 42) extended between the figureand the magnetic bodies; and electromagnetic mechanisms (51, 52) that act onthe magnetic bodies.  The magneticbodies and the figure are caused to move against the buoyancy force of thefigure, by passing current through the electromagnetic mechanisms, and arecaused to return to their original positions by the buoyancy force of thefigure, by releasing the passage of current through the electromagneticmechanisms.
【図１】
2005287523.tif 000006
【図２】  
2005287523.tif 000007
【図３】
2005287523.tif 000008